(57)【要約】【課題】  無駄な電力を省き、省電力な撮像装置を構成する。【解決手段】  ＡＣアダプター１からの電源をバッテリー４に出力する充電電流制御回路２と、定電流負荷回路５とを備え、撮像装置の動作状態に応じて、充電電流制御回路２の電流の出力先をバッテリー４と定電流負荷回路５との間で切り替える。【選択図】  図１
2006140602.tif 000002
【特許請求の範囲】
【請求項１】
外部電源及びバッテリーにより電力供給可能な撮像装置であって、
外部電源を使用して前記バッテリーに電流を出力する充電電流制御回路と、
定電流を必要とする定電流負荷回路と、
前記撮像装置の動作状態に応じて、充電電流制御回路の電流の出力先をバッテリーと前記定電流負荷回路との間で切り替える切替手段と、を有することを特徴とする撮像装置。
【請求項２】
前記切り替え手段は、前記撮像装置が充電動作状態の場合は充電電流制御回路の電流の出力先をバッテリーとし、前記撮像装置が定常動作状態である場合は充電電流制御回路の電流の出力先を前記定電流負荷回路とすることを特徴とする請求項１に記載の撮像装置。
【請求項３】
前記充電電流制御回路の電圧制御方式が昇圧式と降圧式を兼ね備えることを特徴とする請求項１または２記載の撮像装置。
【請求項４】
外部電源及びバッテリーにより電力供給可能な撮像装置であって、
外部電源を使用して前記バッテリーに電流を出力する充電電流制御回路と、
ＬＣＤバックライトと、
前記撮像装置の動作状態に応じて、充電電流制御回路の電流の出力先をバッテリーと前記ＬＣＤバックライトとの間で切り替える切替手段と、を有することを特徴とする撮像装置。
【請求項５】
外部電源及びバッテリーにより電力供給可能な撮像装置であって、
外部電源を使用して前記バッテリーに電流を出力する充電電流制御回路と、
ビデオ用補助光回路と、
前記撮像装置の動作状態に応じて、充電電流制御回路の電流の出力先をバッテリーと前記ビデオ用補助光回路との間で切り替える切替手段と、を有することを特徴とする撮像装置。
【請求項６】
外部電源及びバッテリーにより電力供給可能な撮像装置であって、
外部電源を使用して前記バッテリーに電流を出力する充電電流制御回路と、
ストロボ発光回路と、
前記撮像装置の動作状態に応じて、充電電流制御回路の電流の出力先をバッテリーと前記ストロボ発光回路との間で切り替える切替手段と、を有することを特徴とする撮像装置。
【請求項７】
外部電源を使用して前記バッテリーに電流を出力する充電電流制御回路と、定電流を必要とする定電流負荷回路とを有し、前記外部電源及び前記バッテリーにより電力供給可能な撮像装置の制御方法であって、
前記撮像装置の動作状態に応じて、充電電流制御回路の電流の出力先をバッテリーと前記定電流負荷回路との間で切り替えることを特徴とする撮像装置の制御方法。
【請求項８】
外部電源を使用して前記バッテリーに電流を出力する充電電流制御回路と、ＬＣＤバックライトとを有し、外部電源及びバッテリーにより電力供給可能な撮像装置の制御方法であって、
前記撮像装置の動作状態に応じて、充電電流制御回路の電流の出力先をバッテリーと前記ＬＣＤバックライトとの間で切り替えることを特徴とする撮像装置の制御方法。
【請求項９】
外部電源を使用して前記バッテリーに電流を出力する充電電流制御回路と、ビデオ用補助光回路とを有し、外部電源及びバッテリーにより電力供給可能な撮像装置の制御方法であって、
前記撮像装置の動作状態に応じて、充電電流制御回路の電流の出力先をバッテリーと前記ビデオ用補助光回路との間で切り替えることを特徴とする撮像装置の制御方法。
【請求項１０】
外部電源を使用して前記バッテリーに電流を出力する充電電流制御回路と、ストロボ発光回路とを有し、外部電源及びバッテリーにより電力供給可能な撮像装置の制御方法であって、
前記撮像装置の動作状態に応じて、充電電流制御回路の電流の出力先をバッテリーと前記ストロボ発光回路との間で切り替えることを特徴とする撮像装置の制御方法。
【発明の詳細な説明】
【技術分野】
【０００１】
本発明は、外部電源及びバッテリーにより電力供給可能な撮像装置及び撮像装置の制御方法に関するものである。
【背景技術】
【０００２】
従来のデジタルビデオカメラにおける充電制御回路の特徴を図７に示す。図７において、従来のデジタルビデオカメラはＡＣアダプター１０１からの外部電源とバッテリー１０４からの電源とをマイコン１０３が電源切り替え回路１０８にて切り替えてＤＣ／ＤＣコンバータ電源回路１０７へ供給し、ＤＣ／ＤＣコンバータ電源回路１０７からの電源出力がＣＣＤカメラ１０６やデジタルビデオテープレコーダー１１０や定電流負荷回路１０５へと供給されてデジタルビデオカメラが動作していた。
【０００３】
その際に定電流負荷回路１０５への電流制限は電流制限抵抗１０９にて行われていた。また、バッテリー１０４を充電する際にはＡＣアダプター１０１からの外部電源が充電電流制御回路１０２へ供給され、マイコン１０３が充電電流の制御を行いバッテリー１０４の充電を行っていた。
【０００４】
また、カメラ駆動とカメラへの充電が同時に行われないように、電流供給源からの電流の供給先をカメラ制御回路と充電池との間で切り替えるデジタルカメラが特許文献１に開示されている。
【特許文献１】特開２００４−２４７８４５号公報
【発明の開示】
【発明が解決しようとする課題】
【０００５】
しかしながら、上記従来の技術では、定電流負荷へ電力を供給する際に電流制限抵抗にて制限していたため、電力が無駄に損なわれるという課題があった。また、充電電流制御回路は撮像装置が通常動作している際には全く使用しておらず充電の為にのみ搭載されていた。また、特許文献１の構成では、電源供給源の容量の削減はできても、デジタルカメラ自体での電力の無駄は解消できない。
【０００６】
本発明は上述した問題点を解決するためのものであり、無駄な電力を省き、省電力な撮像装置及び撮像装置の制御方法を提供することを目的とする。
【課題を解決するための手段】
【０００７】
上記目的を達成するために、本発明の撮像装置は、外部電源及びバッテリーにより電力供給可能な撮像装置であって、外部電源を使用して前記バッテリーに電流を出力する充電電流制御回路と、定電流を必要とする定電流負荷回路と、前記撮像装置の動作状態に応じて、充電電流制御回路の電流の出力先をバッテリーと前記定電流負荷回路との間で切り替える切替手段と、を有することを特徴とする。
【０００８】
また、本発明の撮像装置は、外部電源及びバッテリーにより電力供給可能な撮像装置であって、外部電源を使用して前記バッテリーに電流を出力する充電電流制御回路と、ＬＣＤバックライトと、前記撮像装置の動作状態に応じて、充電電流制御回路の電流の出力先をバッテリーと前記ＬＣＤバックライトとの間で切り替える切替手段と、を有することを特徴とする。
【０００９】
また、本発明の撮像装置は、外部電源及びバッテリーにより電力供給可能な撮像装置であって、外部電源を使用して前記バッテリーに電流を出力する充電電流制御回路と、ビデオ用補助光回路と、前記撮像装置の動作状態に応じて、充電電流制御回路の電流の出力先をバッテリーと前記ビデオ用補助光回路との間で切り替える切替手段と、を有することを特徴とする。
【００１０】
また、本発明の撮像装置は、外部電源及びバッテリーにより電力供給可能な撮像装置であって、外部電源を使用して前記バッテリーに電流を出力する充電電流制御回路と、ストロボ発光回路と、前記撮像装置の動作状態に応じて、充電電流制御回路の電流の出力先をバッテリーと前記ストロボ発光回路との間で切り替える切替手段と、を有することを特徴とする。
【００１１】
また、本発明の撮像装置の制御方法は、外部電源を使用して前記バッテリーに電流を出力する充電電流制御回路と、定電流を必要とする定電流負荷回路とを有し、前記外部電源及び前記バッテリーにより電力供給可能な撮像装置の制御方法であって、前記撮像装置の動作状態に応じて、充電電流制御回路の電流の出力先をバッテリーと前記定電流負荷回路との間で切り替えることを特徴とする。
【００１２】
また、本発明の撮像装置の制御方法は、外部電源を使用して前記バッテリーに電流を出力する充電電流制御回路と、ＬＣＤバックライトとを有し、外部電源及びバッテリーにより電力供給可能な撮像装置の制御方法であって、前記撮像装置の動作状態に応じて、充電電流制御回路の電流の出力先をバッテリーと前記ＬＣＤバックライトとの間で切り替えることを特徴とする。
【００１３】
また、本発明の撮像装置の制御方法は、外部電源を使用して前記バッテリーに電流を出力する充電電流制御回路と、ビデオ用補助光回路とを有し、外部電源及びバッテリーにより電力供給可能な撮像装置の制御方法であって、前記撮像装置の動作状態に応じて、充電電流制御回路の電流の出力先をバッテリーと前記ビデオ用補助光回路との間で切り替えることを特徴とする。
【００１４】
また、本発明の撮像装置の制御方法は、外部電源を使用して前記バッテリーに電流を出力する充電電流制御回路と、ストロボ発光回路とを有し、外部電源及びバッテリーにより電力供給可能な撮像装置の制御方法であって、前記撮像装置の動作状態に応じて、充電電流制御回路の電流の出力先をバッテリーと前記ストロボ発光回路との間で切り替えることを特徴とする。
【発明の効果】
【００１５】
本発明によれば、撮像装置の動作状態に応じて、充電電流制御回路の電流の出力先をバッテリーと定電流負荷回路との間で切り替えることにより、無駄な電力を省き、省電力な撮像装置を構成することができる。
【００１６】
また、撮像装置の動作状態に応じて、充電電流制御回路の電流の出力先をバッテリーと前記ＬＣＤバックライトとの間で切り替えることにより、ＬＣＤパネルを使用した撮影および再生時に省電力化が行え、より長時間の撮影および再生を行うことが可能となる。
【００１７】
また、撮像装置の動作状態に応じて、充電電流制御回路の電流の出力先をバッテリーとビデオ用補助光回路との間で切り替えることにより、ビデオ用補助光を用いた夜間や暗所での撮影時に省電力化を行え、より長時間の撮影を行うことが可能となる。
【００１８】
また、撮像装置の動作状態に応じて、充電電流制御回路の電流の出力先をバッテリーとストロボ発光回路との間で切り替えることにより、ストロボを使った夜間撮影時に省電力化が可能になり、より多くの写真枚数を撮影することが可能になる。
【発明を実施するための最良の形態】
【００１９】
以下、図面を参照して本発明の実施の形態を説明する。
【００２０】
（第１の実施形態）
図１は本発明の第１の実施形態におけるデジタルビデオカメラのブロック構成を表す図面である。同図において、１はＡＣアダプターであり、充電電流制御回路２とＤＣ／ＤＣコンバータ電源回路７に電力の供給を行う。２は充電電流制御回路でありＡＣアダプターで１からの電力をマイコン３からの制御により電流制御を行いバッテリー４の充電もしくは定電流負荷５へ電力供給を行う。３はマイコンであり、充電電流制御回路２の電流制御や電源切り替え回路８の切り替えや充電電流切り替え回路９の切り替えを行う。４はバッテリーであり、ＡＣアダプター１を使用しない場合にはＤＣ／ＤＣコンバータ電源回路７や充電電流制御回路２に電力の供給を行う。
【００２１】
５は定電流負荷回路であり充電電流制御回路２からの定電流電力とＤＣ／ＤＣコンバータ電源回路７からの電力により動作する回路である。６はＣＣＤカメラであり、撮影した映像をデジタルビデオテープレコーダー１０へ転送する。７はＤＣ／ＤＣコンバータ電源回路であり、ＡＣアダプター１またはバッテリー４からの電力を定電流負荷５とＣＣＤカメラ６へ変圧し供給する。
【００２２】
８は電源切り替え回路であり、３からの制御により７へ供給する電力を１と４とを切り替える。９は充電電流切り替え回路であり、マイコン３からの制御により充電電流制御回路２からの定電流電力の供給先をバッテリー４もしくは定電流負荷５へと切り替える。１０はデジタルビデオテープレコーダーであり、ＣＣＤカメラ６からの映像データをデジタルビデオテープへと記録する。
【００２３】
図６を使用して、本実施形態のデジタルビデオカメラの制御フローを説明する。本制御フローは、図１のマイコン３が自身の記憶するプログラムを実行し、その他各ブロックを制御することにより達成されるものである。
【００２４】
デジタルビデオカメラにＡＣアダプターが接続されたかどうかを検知しており（Ｓ１０１）、ＡＣアダプターが接続されたことを検知した場合は、そのときのビデオカメラの装置状態を取得する（Ｓ１０２）。この装置状態は、例えば、装置の電源スイッチ、及び装置の動作モードスイッチの位置情報に基づき決定され、マイコン３のメモリに記憶され、各スイッチ状態に応じて更新されているものである。
【００２５】
次に、取得した装置状態が電源ＯＦＦであり充電動作状態であった場合は、充電電流切り替え回路をバッテリー側に切り替え、充電電流制御回路２からの定電流電力の供給先をバッテリー４とする（Ｓ１０４）。
【００２６】
一方、取得した装置状態が電源ＯＮであり定電流負荷回路５を利用する定常動作状態であった場合は、充電切り替え回路を定電流負荷回路５側に切り替え、充電電流制御回路２からの定電流電力の供給先を定電流負荷回路５とする（Ｓ１０５）。
【００２７】
以上ように、定電流負荷回路５が必要とする定電流電源を充電電流制御回路２の出力から充電電流切り替え回路９にて切り替えて供給することにより高効率な電源供給が可能となる。
【００２８】
（実施形態２）
図２は本発明の第２の実施形態におけるデジタルビデオカメラのブロック構成を表す図面である。同図において、１１はＡＣアダプターであり、昇降圧式充電電流制御回路１２とＤＣ／ＤＣコンバータ電源回路１７に電力の供給を行う。１２は昇降圧式充電電流制御回路でありＡＣアダプター１１からの電力をマイコン１３からの制御により電流制御を行い、電圧を昇圧もしくは降圧させてバッテリー１４の充電もしくは定電流負荷１５へ電力供給を行う。１３はマイコンであり、昇降圧式充電電流制御回路１２の電流制御や１８の電源切り替え回路の切り替えや充電電流切り替え回路１９の切り替えを行う。１４はバッテリーであり、ＡＣアダプター１１を使用しない場合にはＤＣ／ＤＣコンバータ電源回路１７や昇降圧式充電電流制御回路１２に電力の供給を行う。
【００２９】
１５は定電流負荷回路であり昇降圧式充電電流制御回路１２からの定電流電力とＤＣ／ＤＣコンバータ電源回路１７からの電力により動作する回路である。
１６はＣＣＤカメラであり、撮影した映像をデジタルビデオテープレコーダー２０へ転送する。１７はＤＣ／ＤＣコンバータ電源回路であり、ＡＣアダプター１１またはバッテリー１４からの電力を定電流負荷１５と定電流負荷回路１６とデジタルビデオテープレコーダー２０へ変圧し供給する。
【００３０】
１８は電源切り替え回路であり、マイコン１３からの制御によりＤＣ／ＤＣコンバータ電源回路１７へ供給する電力を１１と１４とを切り替える。１９は充電電流切り替え回路であり、マイコン１３からの制御により昇降圧式充電電流制御回路１２からの定電流電力の供給先をバッテリー１４もしくは定電流負荷１５へを切り替える。２０はデジタルビデオテープレコーダーであり、ＣＣＤカメラ１６からの映像データをデジタルビデオテープへと記録する。
【００３１】
本実施形態における制御フローは、第１の実施形態と同様であり、Ｓ１０５において、昇降圧式充電電流制御回路１２が定電流負荷回路の仕様に応じた電源供給を行う点のみが異なる。
【００３２】
以上の実施形態により、定電流負荷１５が必要とする定電流電源を昇降圧式充電電流制御回路１２から供給する際に電源電圧を幅広く可変させることが可能となり、その定電流電源を充電電流切り替え回路１９にて切り替えて定電流負荷１５へ供給することにより多種の定電流負荷を高効率に駆動することが可能となる。
【００３３】
（実施形態３）
図３は本発明の第３の実施形態におけるデジタルビデオカメラのブロック構成を表す図面である。同図において、２１はＡＣアダプターであり、充電電流制御回路２２とＤＣ／ＤＣコンバータ電源回路２７に電力の供給を行う。２２は充電電流制御回路でありＡＣアダプター２１からの電力をマイコン２３からの制御により電流制御を行いバッテリー２４の充電もしくはＬＣＤバックライト２５へ電力供給を行う。２３はマイコンであり、充電電流制御回路２２の電流制御や電源切り替え回路２８の切り替えや充電電流切り替え回路２９の切り替えを行う。２４はバッテリーであり、ＡＣアダプター２１を使用しない場合には２７や２２に電力の供給を行う。
【００３４】
２５ａはＬＣＤバックライトであり充電電流制御回路２２からの定電流電力により動作する回路である。２５ｂはＬＣＤパネルでありＤＣ／ＤＣコンバータ電源回路２７からの電力により動作し、ＬＣＤバックライト２５ａの発光により撮影している映像を撮影者に対して表示する。２６はＣＣＤカメラであり、撮影した映像をデジタルビデオテープレコーダー３０へ転送する。２７はＤＣ／ＤＣコンバータ電源回路であり、ＡＣアダプター２１またはバッテリー２４からの電力をＬＣＤバックライト２５ａとＬＣＤパネル２５ｂと２６へ変圧し供給する。
【００３５】
２８は電源切り替え回路であり、マイコン２３からの制御によりＤＣ／ＤＣコンバータ電源回路２７へ供給する電力を２１と２４とを切り替える。２９は充電電流切り替え回路であり、マイコン２３からの制御により充電電流制御回路２２からの定電流電力の供給先をバッテリー２４もしくはＬＣＤバックライト２５ａへを切り替える。３０デジタルビデオテープレコーダーであり、ＣＣＤカメラ２６からの映像データをデジタルビデオテープへと記録する。
【００３６】
本実施形態における制御フローは、第１の実施形態と同様であり、Ｓ１０５において、電流の出力先がＬＣＤバックライト２５ａとなる点のみが異なる。
【００３７】
以上の実施形態により、ＬＣＤパネル２５ｂを用いた撮影を行う際に２２から定電流電源を２９にて切り替えてＬＣＤバックライト２５ａへと供給することにより省電力化を行えるため、より長時間の撮影が可能となる。
【００３８】
（実施形態４）
図４は本発明の第４の実施形態におけるデジタルビデオカメラのブロック構成を表す図面である。同図において、３１はＡＣアダプターであり、充電電流制御回路３２とＤＣ／ＤＣコンバータ電源回路３７に電力の供給を行う。３２は充電電流制御回路でありＡＣアダプター３１からの電力をマイコン３３からの制御により電流制御を行いバッテリー３４の充電もしくはビデオ用補助光３５へ電力供給を行う。３３はマイコンであり、充電電流制御回路３２の電流制御や電源切り替え回路３８の切り替えや充電電流切り替え回路３９の切り替えを行う。３４はバッテリーであり、ＡＣアダプター３１を使用しない場合にはＤＣ／ＤＣコンバータ電源回路３７や充電電流制御回路３２に電力の供給を行う。
【００３９】
３５はビデオ用補助光であり充電電流制御回路３２からの定電流電力とＤＣ／ＤＣコンバータ電源回路３７からの電力により動作する回路である。３６はＣＣＤカメラであり、撮影した映像をデジタルビデオテープレコーダー４０へ転送する。３７はＤＣ／ＤＣコンバータ電源回路であり、ＡＣアダプター３１またはバッテリー３４からの電力をビデオ用補助光３５とＣＣＤカメラ３６へ変圧し供給する。
【００４０】
３８は電源切り替え回路であり、３３からの制御によりＤＣ／ＤＣコンバータ電源回路３７へ供給する電力をＡＣアダプター３１とバッテリー３４とを切り替える。３９は充電電流切り替え回路であり、マイコン３３からの制御により充電電流制御回路３２からの定電流電力の供給先をバッテリー３４もしくはビデオ用補助光３５へを切り替える。４０はデジタルビデオテープレコーダーであり、ＣＣＤカメラ３６からの映像データをデジタルビデオテープへと記録する。
【００４１】
本実施形態における制御フローは、第１の実施形態と同様であり、Ｓ１０５において、電流の出力先がビデオ用補助光３５となる点のみが異なる。
【００４２】
以上の実施形態により、３５を用いた夜間や暗所での撮影を行う際に充電電流制御回路３２から定電流電源を充電電流切り替え回路３９にて切り替えてビデオ用補助光３５へと供給することにより省電力化を行えるため、より長時間の撮影が可能となる。
【００４３】
（実施形態５）
図５は本発明の第５の実施形態におけるデジタルビデオカメラのブロック構成を表す図面である。同図において、４１はＡＣアダプターであり、充電電流制御回路４２とＤＣ／ＤＣコンバータ電源回路４７に電力の供給を行う。４２は充電電流制御回路でありＡＣアダプター４１からの電力をマイコン４３からの制御により電流制御を行いバッテリー４４の充電もしくはストロボ発光回路４５へ電力供給を行う。４３はマイコンであり、充電電流制御回路４２の電流制御や電源切り替え回路４８の切り替えや充電電流切り替え回路４９の切り替えを行う。４４はバッテリーであり、ＡＣアダプター４１を使用しない場合にはＤＣ／ＤＣコンバータ電源回路４７や充電電流制御回路４２に電力の供給を行う。
【００４４】
４５はストロボ発光回路であり充電電流制御回路４２からの定電流電力とＤＣ／ＤＣコンバータ電源回路４７からの電力により動作する回路である。４６はＣＣＤカメラであり、撮影した映像をデジタルビデオテープレコーダー５０のへ転送する。４７はＤＣ／ＤＣコンバータ電源回路であり、ＡＣアダプター４１またはバッテリー４４からの電力をストロボ発光回路４５とＣＣＤカメラ４６へ変圧し供給する。
【００４５】
４８は電源切り替え回路であり、マイコン４３からの制御によりＤＣ／ＤＣコンバータ電源回路４７へ供給する電力をＡＣアダプター４１とバッテリー４４とを切り替える。４９は充電電流切り替え回路であり、マイコン４３からの制御により充電電流制御回路４２からの定電流電力の供給先を４４もしくは４５へを切り替える。５０はデジタルビデオテープレコーダーであり、ＣＣＤカメラ４６からの映像データをデジタルビデオテープへと記録する。
【００４６】
本実施形態における制御フローは、第１の実施形態と同様であり、Ｓ１０５において、電流の出力先がストロボ発光回路４５となる点のみが異なる。
【００４７】
以上の実施形態により、ストロボ発光回路４５を用いた夜間撮影を行う際に充電電流制御回路４２から定電流電源を充電電流切り替え回路４９にて切り替えてストロボ発光回路４５へと供給することにより省電力化を行えるため、より多くの写真枚数を撮ることが可能となる。
【図面の簡単な説明】
【００４８】
【図１】本発明の第１の実施形態に係るデジタルビデオカメラを説明する図である。
【図２】本発明の第２の実施形態に係るデジタルビデオカメラを説明する図である。
【図３】本発明の第３の実施形態に係るデジタルビデオカメラを説明する図である。
【図４】本発明の第４の実施形態に係るデジタルビデオカメラを説明する図である。
【図５】本発明の第５の実施形態に係るデジタルビデオカメラを説明する図である。
【図６】本発明の第１の実施形態における制御フローを説明する図である。
【図７】従来のデジタルビデオカメラを説明する図である。
【符号の説明】
【００４９】
１  ＡＣアダプター
２  充電電流制御回路
３  マイコン
４  バッテリー
５  定電流負荷回路
６  ＣＣＤカメラ
７  ＤＣ／ＤＣコンバータ電源回路
８  電源切り替え回路
９  充電電流切り替え回路
１０  デジタルビデオテープレコーダー
１１  ＡＣアダプター
１２  昇降圧式充電電流制御回路
１３  マイコン
１４  バッテリー
１５  定電流負荷回路
１６  ＣＣＤカメラ
１７  ＤＣ／ＤＣコンバータ電源回路
１８  電源切り替え回路
１９  充電電流切り替え回路
２０  デジタルビデオテープレコーダー
２１  ＡＣアダプター
２２  充電電流制御回路
２３  マイコン
２４  バッテリー
２５ａ  ＬＣＤバックライト
２５ｂ  ＬＣＤパネル
２６  ＣＣＤカメラ
２７  ＤＣ／ＤＣコンバータ電源回路
２８  電源切り替え回路
２９  充電電流切り替え回路
３０  デジタルビデオテープレコーダー
３１  ＡＣアダプター
３２  充電電流制御回路
３３  マイコン
３４  バッテリー
３５  ビデオ用補助光
３６  ＣＣＤカメラ
３７  ＤＣ／ＤＣコンバータ電源回路
３８  電源切り替え回路
３９  充電電流切り替え回路
４０  デジタルビデオテープレコーダー
４１  ＡＣアダプター
４２  充電電流制御回路
４３  マイコン
４４  バッテリー
４５  ストロボ発光回路
４６  ＣＣＤカメラ
４７  ＤＣ／ＤＣコンバータ電源回路
４８  電源切り替え回路
４９  充電電流切り替え回路
５０  デジタルビデオテープレコーダー
【図１】
2006140602.tif 000003
【図２】
2006140602.tif 000004
【図３】
2006140602.tif 000005
【図４】
2006140602.tif 000006
【図５】
2006140602.tif 000007
【図６】
2006140602.tif 000008
【図７】
2006140602.tif 000009